(57)【要約】  １つの階調の表示を、第１〜第ｍフレーム期間（ｍは４以上の整数）からなる１周期に画素の輝度を変化させて行う液晶表示装置であって、中間調表示時に、第１〜第ｎフレーム期間（ｎは２以上ｍ以下の整数）と第（ｎ＋１）〜第ｍフレーム期間の少なくとも一方において２種以上のデータ電圧が供給されることで、第１〜第ｎフレーム期間中に液晶層がライズ応答するとともに、第（ｎ＋１）〜第ｍフレーム期間中に液晶層がディケイ応答する第１型の画素と、中間調表示時に、第１〜第ｎフレーム期間と第（ｎ＋１）〜第ｍフレーム期間の少なくとも一方において２種以上のデータ電圧が供給されることで、第１〜第ｎフレーム期間中に液晶層がディケイ応答するとともに、第（ｎ＋１）〜第ｍフレーム期間中に液晶層がライズ応答する第２型の画素とを含む。こうすれば、視野角特性向上とフリッカー低減の両立を図ることができる。
2011065091.tif 000002
【特許請求の範囲】
【請求項１】
１つの階調の表示を、第１〜第ｍフレーム期間（ｍは４以上の整数）からなる１周期に画素の輝度を変化させて行う液晶表示装置であって、
中間調表示時に、第１〜第ｎフレーム期間（ｎは２以上ｍ以下の整数）と第（ｎ＋１）〜第ｍフレーム期間の少なくとも一方において２種以上のデータ電圧が供給されることで、第１〜第ｎフレーム期間中に液晶層がライズ応答するとともに、第（ｎ＋１）〜第ｍフレーム期間中に液晶層がディケイ応答する第１型の画素と、
中間調表示時に、第１〜第ｎフレーム期間と第（ｎ＋１）〜第ｍフレーム期間の少なくとも一方において２種以上のデータ電圧が供給されることで、第１〜第ｎフレーム期間中に液晶層がディケイ応答するとともに、第（ｎ＋１）〜第ｍフレーム期間中に液晶層がライズ応答する第２型の画素とを含む液晶表示装置。
【請求項２】
中間調表示時に第１および第２型の画素に供給されるデータ電圧は、第１型の画素における１周期の応答波と、第２型の画素における１周期の応答波とが実質的に線対称となるように設定されている請求項１記載の液晶表示装置。
【請求項３】
中間調表示時に第１および第２型の画素に供給されるデータ電圧は、第１および第２型の画素それぞれにおける１周期の応答波が実質的に矩形波あるいは台形波になるように設定されている請求項２記載の液晶表示装置。
【請求項４】
中間調表示時に第１および第２型の画素に供給されるデータ電圧は、第１および第２型の画素それぞれにおける１周期の応答波が実質的に三角波あるいは正弦波になるように設定されている請求項２記載の液晶表示装置。
【請求項５】
第１型の画素に中間調を表示するときには、第１〜第ｎフレーム期間に、相対的に高い階調に対応するデータ電圧が供給された後に相対的に低い階調に対応するデータ電圧が供給される一方、第２型の画素に中間調を表示するときには、第（ｎ＋１）〜第ｍフレーム期間に、相対的に高い階調に対応するデータ電圧が供給された後に相対的に低い階調に対応するデータ電圧が供給される請求項３記載の液晶表示装置。
【請求項６】
第１型の画素に所定階調以上の中間調を表示するときには、第１〜第ｎフレーム期間に、相対的に低い階調に対応するデータ電圧が供給された後に相対的に高い階調に対応するデータ電圧が供給されるとともに、第（ｎ＋１）〜第ｍフレーム期間に、相対的に高い階調に対応するデータ電圧が供給された後に相対的に低い階調に対応するデータ電圧が供給される一方、第２型の画素に所定階調以上の中間調を表示するときには、相対的に高い階調に対応するデータ電圧が供給された後に相対的に低い階調に対応するデータ電圧が供給され、かつ第（ｎ＋１）〜第ｍフレーム期間に、相対的に低い階調に対応するデータ電圧が供給された後に相対的に高い階調に対応するデータ電圧が供給される請求項４記載の液晶表示装置。
【請求項７】
第１型の画素に所定階調未満の中間調を表示するときには、第１〜第ｎフレーム期間に、相対的に高い階調に対応するデータ電圧が供給された後に相対的に低い階調に対応するデータ電圧が供給されるとともに、第（ｎ＋１）〜第ｍフレーム期間に、相対的に高い階調に対応するデータ電圧が供給された後に相対的に低い階調に対応するデータ電圧が供給される一方、第２型の画素に所定階調未満の中間調を表示するときには、相対的に高い階調に対応するデータ電圧が供給された後に相対的に低い階調に対応するデータ電圧が供給され、かつ第（ｎ＋１）〜第ｍフレーム期間に、相対的に高い階調に対応するデータ電圧が供給された後に相対的に低い階調に対応するデータ電圧が供給される請求項４記載の液晶表示装置。
【請求項８】
ｍ＝４かつｎ＝４、またはｍ＝８かつｎ＝４である請求項１記載の液晶表示装置。
【請求項９】
それぞれが別色の複数の画素からなる表示単位が行および列方向に並べられ、
同一の表示単位に含まれる複数の画素は同一の型である請求項１〜８のいずれか１項に記載の液晶表示装置。
【請求項１０】
走査方向に隣接する２つの表示単位の一方に含まれる各画素の型と、他方に含まれる各画素の型とが互いに異なる請求項９記載の液晶表示装置。
【請求項１１】
走査方向と直交する方向に隣接する２つの表示単位の一方に含まれる各画素の型と、他方に含まれる各画素の型とが互いに異なる請求項９記載の液晶表示装置。
【請求項１２】
上記表示単位が赤画素、緑画素および青画素からなる請求項９記載の液晶表示装置。
【請求項１３】
第１型の各画素からなる表示単位の数と、第２型の各画素からなる表示単位の数とが実質的に等しい請求項９記載の液晶表示装置。
【請求項１４】
フレーム周波数が７５Ｈｚ以上である請求項１〜１３のいずれか１項に記載の液晶表示装置。
【請求項１５】
各画素に供給されるデータ電位の極性はフレームごとに反転する請求項１〜１４のいずれか１項に記載の液晶表示装置。
【請求項１６】
走査方向に隣接する２つの画素の一方に書き込まれるデータ電位の極性と、他方に書き込まれるデータ電位の極性とが異なる請求項１〜１５のいずれか１項に記載の液晶表示装置。
【請求項１７】
走査方向に直交する方向に隣接する２つの画素の一方に書き込まれるデータ電位の極性と、他方に書き込まれるデータ電位の極性とが異なる請求項１〜１６のいずれか１項に記載の液晶表示装置。
【請求項１８】
走査方向を列方向とすれば、１つの画素列に対応して２本のデータ信号線が設けられるともに、列方向に隣接する２つの画素はトランジスタを介して異なるデータ信号線に接続され、走査信号線が２本ずつ選択されていく請求項１〜１７のいずれか１項に記載の液晶表示装置。
【請求項１９】
１つの画素列に対応して設けられる２本のデータ信号線に、逆極性のデータ電位を供給する請求項１８記載の液晶表示装置。
【請求項２０】
１つの中間調の表示を、第１〜第ｍフレーム期間（ｍは４以上の整数）からなる１周期に画素の輝度を変化させて行う液晶表示装置であって、
同一の複数の中間調を連続表示するときに、第１〜第ｎフレーム期間中に液晶層がライズ応答するとともに、第（ｎ＋１）〜第ｍフレーム期間中に液晶層がディケイ応答する第１型の画素と、上記複数の中間調を連続表示するときに、第１〜第ｎフレーム期間中に液晶層がディケイ応答するとともに、第（ｎ＋１）〜第ｍフレーム期間中に液晶層がライズ応答する第２型の画素とを含み、
第１および第２型の画素に上記複数の中間調を連続表示するときに、第１および第２型の画素の輝度総和が定常化するように、第１〜第ｎフレーム期間と第（ｎ＋１）〜第ｍフレーム期間の少なくとも一方において第１型の画素に２種以上のデータ電圧を供給して大きさの異なる複数の実効電圧を印加し、かつ第１〜第ｎフレーム期間と第（ｎ＋１）〜第ｍフレーム期間の少なくとも一方において第２型の画素に２種以上のデータ電圧を供給して大きさの異なる複数の実効電圧を印加する液晶表示装置。
【請求項２１】
第１〜第ｍフレーム期間（ｍは４以上の整数）を１周期とし、２個の画素それぞれにおける１周期の平均輝度が中間調に対応する同一値となるような表示を行うときに、
上記２つの画素の一方については輝度が上昇して目標値に到達し、かつ他方については輝度が低下して目標値に到達する期間を設けるとともに、この期間に、上記２つの画素の一方あるいは他方に波形調整用電圧と目標値に対応する電圧とを印加するか、または上記２つの画素それぞれに波形調整用電圧と目標値に対応する電圧とを印加する液晶表示装置。
【請求項２２】
請求項１〜２１のいずれか１項に記載の液晶表示装置と、テレビジョン放送を受信するチューナー部とを備えるテレビジョン受像機。
【発明の詳細な説明】
【技術分野】
【０００１】
本発明は、１つの中間調の表示を、画素の輝度を時間的に変化させて行う表示装置に関する。
【背景技術】
【０００２】
１つの中間調の表示を、画素の輝度を時間的に変化させて行うことで、液晶表示装置の視野角特性を向上させる技術が提案されている（例えば特許文献１参照）。この場合、例えば１つの中間調を表示するにあたり、第１型の画素には、第１〜第２フレーム期間の間にＸ階調に対応するデータ電圧を供給し、第３〜第４フレーム期間の間にＹ階調（Ｙ＞Ｘ）に対応するデータ電圧を供給する一方、第２型の画素には、第１〜第２フレーム期間の間にＹ階調に対応するデータ電圧を供給し、第３〜第４フレーム期間の間にＸ階調に対応するデータ電圧を供給する。
【先行技術文献】
【特許文献】
【０００３】
【特許文献１】日本国公開特許公報「特開平７−１２１１４４号公報（１９９５年５月１２日公開）」
【発明の概要】
【発明が解決しようとする課題】
【０００４】
しかしながら、上記のように各画素にデータ電圧を供給すると、図１９（ａ）（ｂ）に示すように、第１および第２型の画素に同一の中間調が入力された場合（例えば、ベタ表示の場合）であっても、第１型の応答波（時間経過に伴う透過率変化）と第２型の画素の応答波（時間経過に伴う透過率変化）との重畳波がフラットに近い波形にならず、フリッカーを十分に抑制することができないという問題があった。【０００５】
本発明の目的は、液晶表示装置の視野角特性向上とフリッカー低減の両立を図る点にある。
【課題を解決するための手段】
【０００６】
本液晶表示装置は、１つの階調の表示を、第１〜第ｍフレーム期間（ｍは４以上の整数）からなる１周期に画素の輝度を変化させて行う液晶表示装置であって、中間調表示時に、第１〜第ｎフレーム期間（ｎは２以上ｍ以下の整数）と第（ｎ＋１）〜第ｍフレーム期間の少なくとも一方において２種以上のデータ電圧が供給されることで、第１〜第ｎフレーム期間中に液晶層がライズ応答するとともに、第（ｎ＋１）〜第ｍフレーム期間中に液晶層がディケイ応答する第１型の画素と、中間調表示時に、第１〜第ｎフレーム期間と第（ｎ＋１）〜第ｍフレーム期間の少なくとも一方において２種以上のデータ電圧が供給されることで、第１〜第ｎフレーム期間中に液晶層がディケイ応答するとともに、第（ｎ＋１）〜第ｍフレーム期間中に液晶層がライズ応答する第２型の画素とを含む。【０００７】
このように、上記各型画素に、第１〜第ｎフレーム期間（ｎは２以上ｍ以下の整数）と第（ｎ＋１）〜第ｍフレーム期間の少なくとも一方において２種以上のデータ電圧（大きさの異なる複数のデータ電圧）を供給することで、上記各画素の応答波形を調整することが可能となり、例えば、第１型の画素における１周期の応答波と、第２型の画素における１周期の応答波とが実質的に線対称にすることができる。これにより、第１型の画素の応答波と第２型の画素の応答波との重畳波をフラットに近い波形とすることができ、フリッカーを十分に抑制することが可能となる。【０００８】
本液晶表示装置では、中間調表示時に第１および第２型の画素に供給されるデータ電圧は、第１および第２型の画素それぞれにおける１周期の応答波が実質的に矩形波あるいは台形波になるように設定されている構成とすることもできる。【０００９】
本液晶表示装置では、中間調表示時に第１および第２型の画素に供給されるデータ電圧は、第１および第２型の画素それぞれにおける１周期の応答波が実質的に三角波あるいは正弦波になるように設定されている構成とすることもできる。【００１０】
本液晶表示装置では、第１型の画素に中間調を表示するときには、第１〜第ｎフレーム期間に、相対的に高い階調に対応するデータ電圧が供給された後に相対的に低い階調に対応するデータ電圧が供給される一方、第２型の画素に中間調を表示するときには、第（ｎ＋１）〜第ｍフレーム期間に、相対的に高い階調に対応するデータ電圧が供給された後に相対的に低い階調に対応するデータ電圧が供給される構成とすることもできる。【００１１】
本液晶表示装置では、第１型の画素に所定階調以上の中間調を表示するときには、第１〜第ｎフレーム期間に、相対的に低い階調に対応するデータ電圧が供給された後に相対的に高い階調に対応するデータ電圧が供給されるとともに、第（ｎ＋１）〜第ｍフレーム期間に、相対的に高い階調に対応するデータ電圧が供給された後に相対的に低い階調に対応するデータ電圧が供給される一方、第２型の画素に所定階調以上の中間調を表示するときには、相対的に高い階調に対応するデータ電圧が供給された後に相対的に低い階調に対応するデータ電圧が供給され、かつ第（ｎ＋１）〜第ｍフレーム期間に、相対的に低い階調に対応するデータ電圧が供給された後に相対的に高い階調に対応するデータ電圧が供給される構成とすることもできる。【００１２】
本液晶表示装置では、第１型の画素に所定階調未満の中間調を表示するときには、第１〜第ｎフレーム期間に、相対的に高い階調に対応するデータ電圧が供給された後に相対的に低い階調に対応するデータ電圧が供給されるとともに、第（ｎ＋１）〜第ｍフレーム期間に、相対的に高い階調に対応するデータ電圧が供給された後に相対的に低い階調に対応するデータ電圧が供給される一方、第２型の画素に所定階調未満の中間調を表示するときには、相対的に高い階調に対応するデータ電圧が供給された後に相対的に低い階調に対応するデータ電圧が供給され、かつ第（ｎ＋１）〜第ｍフレーム期間に、相対的に高い階調に対応するデータ電圧が供給された後に相対的に低い階調に対応するデータ電圧が供給される構成とすることもできる。【００１３】
本液晶表示装置では、ｍ＝４かつｎ＝４、またはｍ＝８かつｎ＝４である構成とすることもできる。【００１４】
本液晶表示装置では、それぞれが別色の複数の画素からなる表示単位が行および列方向に並べられ、同一の表示単位に含まれる複数の画素は同一の型である構成とすることもできる。【００１５】
本液晶表示装置では、走査方向に隣接する２つの表示単位の一方に含まれる各画素の型と、他方に含まれる各画素の型とが互いに異なる構成とすることもできる。【００１６】
本液晶表示装置では、走査方向と直交する方向に隣接する２つの表示単位の一方に含まれる各画素の型と、他方に含まれる各画素の型とが互いに異なる構成とすることもできる。【００１７】
本液晶表示装置では、上記表示単位が赤画素、緑画素および青画素からなる構成とすることもできる。【００１８】
本液晶表示装置では、第１型の各画素からなる表示単位の数と、第２型の各画素からなる表示単位の数とが実質的に等しい構成とすることもできる。【００１９】
本液晶表示装置では、フレーム周波数が７５Ｈｚ以上である構成とすることもできる。【００２０】
本液晶表示装置では、各画素に供給されるデータ電圧の極性はフレームごとに反転する構成とすることもできる。【００２１】
本液晶表示装置では、走査方向に隣接する２つの画素の一方に書き込まれるデータ電位の極性と、他方に書き込まれるデータ電位の極性とが異なる構成とすることもできる。【００２２】
本液晶表示装置では、走査方向に直交する方向に隣接する２つの画素の一方に書き込まれるデータ電位の極性と、他方に書き込まれるデータ電位の極性とが異なる構成とすることもできる。【００２３】
本液晶表示装置では、走査方向を列方向とすれば、１つの画素列に対応して２本のデータ信号線が設けられるともに、列方向に隣接する２つの画素はトランジスタを介して異なるデータ信号線に接続され、走査信号線が２本ずつ選択されていく構成とすることもできる。【００２４】
本液晶表示装置では、１つの画素列に対応して設けられる２本のデータ信号線に、逆極性のデータ電位を供給する構成とすることもできる。【００２５】
本液晶表示装置は、１つの中間調の表示を、第１〜第ｍフレーム期間（ｍは４以上の整数）からなる１周期に画素の輝度を変化させて行う液晶表示装置であって、同一の複数の中間調を連続表示するときに、第１〜第ｎフレーム期間中に液晶層がライズ応答するとともに、第（ｎ＋１）〜第ｍフレーム期間中に液晶層がディケイ応答する第１型の画素と、上記複数の中間調を連続表示するときに、第１〜第ｎフレーム期間中に液晶層がディケイ応答するとともに、第（ｎ＋１）〜第ｍフレーム期間中に液晶層がライズ応答する第２型の画素とを含み、第１および第２型の画素に上記複数の中間調を連続表示するときに、第１および第２型の画素の輝度総和が定常化するように、第１〜第ｎフレーム期間と第（ｎ＋１）〜第ｍフレーム期間の少なくとも一方において第１型の画素に２種以上のデータ電圧を供給して大きさの異なる複数の実効電圧を印加し、かつ第１〜第ｎフレーム期間と第（ｎ＋１）〜第ｍフレーム期間の少なくとも一方において第２型の画素に２種以上のデータ電圧を供給して大きさの異なる複数の実効電圧を印加する。【００２６】
本願では、データ信号線から画素に供給されるデータ電位（極性あり）からトランジスタＯＦＦ時の引き込み電圧を減じた電位を実効電位（極性あり）とし、データ電位と基準電位（Ｖｃｏｍ）との電位差（大きさのみを示す極性のない値＝絶対値）を、データ電圧とし、この実効電位と基準電位（Ｖｃｏｍ）との電位差（実際に画素に印加される電圧）を、実効電圧（大きさのみを示す極性のない値＝絶対値）とする。【００２７】
本テレビジョン受像機は、上記液晶表示装置と、テレビジョン放送を受信するチューナー部とを備える。
【発明の効果】
【００２８】
以上のように、本液晶表示装置によれば、視野角特性向上とフリッカー低減の両立を図ることができる。
【図面の簡単な説明】
【００２９】
【図１】本液晶表示装置の構成を示すブロック図である。
【図２】液晶パネルの８個の表示単位（Ａ〜Ｄおよびａ〜ｄ）に含まれる２４画素の配列を示す模式図である。
【図３】本テレビジョン受像機の構成を示すブロック図である。
【図４】本液晶表示装置における第１フレーム期間（Ｆ１）〜第４フレーム期間（Ｆ４）の駆動例と液晶の応答波形を示す模式図である。
【図５】図４の駆動例における表示状態を示す模式図である。
【図６】ＬＵＴａ〜ＬＵＴｄの入力階調（０階調〜１４０階調）と出力階調の対応例を示す表である。
【図７】ＬＵＴａ〜ＬＵＴｄの入力階調（１４１階調〜２５５階調）と出力階調の対応関係の一例を示す表である。
【図８】図６・７に示す表のグラフである。
【図９】本液晶表示装置における第１フレーム期間（Ｆ１）〜第４フレーム期間（Ｆ４）の駆動例（１２５階調表示時）と液晶の応答波形を示す模式図である。
【図１０】本液晶表示装置における第１フレーム期間（Ｆ１）〜第４フレーム期間（Ｆ４）の駆動例（７０階調表示時）と液晶の応答波形を示す模式図である。
【図１１】図９・１０の駆動例における表示状態を示す模式図である。
【図１２】ＬＵＴａ〜ＬＵＴｄの入力階調（０階調〜１４０階調）と出力階調の対応関係の別例を示す表である。
【図１３】ＬＵＴａ〜ＬＵＴｄの入力階調（１４１階調〜２５５階調）と出力階調の対応関係の別例を示す表である。
【図１４】図１０・１１に示す表のグラフである。
【図１５】本液晶表示装置における第１フレーム期間（Ｆ１）〜第８フレーム期間（Ｆ８）の駆動例（Ａ・Ｃ・ａ・ｃの画素）と液晶の応答波形を示す模式図である。
【図１６】本液晶表示装置における第１フレーム期間（Ｆ１）〜第８フレーム期間（Ｆ８）の駆動例（Ｂ・Ｄ・ｂ・ｄの画素）と液晶の応答波形を示す模式図である。
【図１７】図１５・１６の駆動例における表示状態を示す模式図である。
【図１８】本液晶表示装置に用いられる液晶パネルの構成と液晶パネルの駆動方法を示す模式図である。
【図１９】従来の液晶表示装置における第１フレーム期間（Ｆ１）〜第４フレーム期間（Ｆ４）の駆動例と液晶の応答波形を示す模式図である。
【発明を実施するための形態】
【００３０】
〔実施の形態１〕
本発明の実施の形態を、図１〜１８を用いて説明すれば、以下のとおりである。図１は本液晶表示装置の構成を示すブロック図である。同図に示すように、本液晶表示装置は、１つの階調の表示を、第１〜第ｍフレーム期間（ｍは３以上の整数）からなる１周期に画素の輝度を変化させて行う液晶表示装置であり、液晶パネル、パネル駆動回路、および表示制御回路を備える。液晶パネルは、複数の走査信号線と、複数のデータ信号線と、行方向（走査方向に直交する方向）および列方向（走査方向）に並べられた複数の表示単位とを含む。各表示単位は、図２に示すように、行方向に並ぶＲ画素、Ｇ画素およびＢ画素からなり、以下では、ｉ行ｊ番目の表示単位を表示単位Ａ、ｉ行（ｊ＋１）番目の表示単位を表示単位Ｂ、（ｉ＋１）行ｊ番目の表示単位を表示単位Ｃ、（ｉ＋１）行（ｊ＋１）番目の表示単位を表示単位Ｄ、ｉ行（ｊ＋２）番目の表示単位を表示単位ａ、ｉ行（ｊ＋３）番目の表示単位を表示単位ｂ、（ｉ＋１）行（ｊ＋２）番目の表示単位を表示単位ｃ、（ｉ＋１）行（ｊ＋３）番目の表示単位を表示単位ｄとする。パネル駆動回路は、データ信号線を駆動するソースドライバと、走査信号線を駆動するゲートドライバとを含む。表示制御回路は、タイミング信号生成回路と、フレーム階調生成回路と、ＬＵＴ（ルックアップテーブル）ａ〜ＬＵＴｄとを含む。
【００３１】
タイミング信号生成回路は、入力される映像信号に基づいて、水平同期信号、垂直同期信号、および極性反転信号を生成し、パネル駆動回路に入力する。
【００３２】
フレーム階調生成回路は、入力される映像信号が示す階調データ（以下、入力階調と略記）に対応するフレーム階調データ（以下、フレーム階調と略記）を、ＬＵＴａ〜ＬＵＴｄを用いて生成する。例えば、４フレームを１周期とする（１つの階調の表示を、第１〜第４フレーム期間からなる１周期に画素の輝度を変化させて行う）場合、１つの入力階調に対して４つのフレーム階調を生成する。具体的には、フレーム階調生成回路は、第１型の画素に対応する第１〜第４フレーム階調と、第２型の画素に対応する第１〜第４フレーム階調を生成する。
【００３３】
なお、図２に示す各表示単位については、例えば、表示単位Ａ・Ｄに属する画素（赤・緑・青）が第１型、表示単位Ｂ・Ｃに属する画素（赤・緑・青）が第２型とされる。
【００３４】
そして、パネル駆動回路は、タイミング信号生成回路で生成された、水平同期信号、垂直同期信号、および極性反転信号に基づいてデータ信号線および走査信号線を駆動し、フレーム階調生成回路で生成された第１〜第４フレーム階調それぞれに対応するデータ電圧を画素に供給する。なお、駆動周波数（フレーム周波数＝書き換え周波数）は倍速の１２０Ｈｚ〜４倍速の２４０Ｈｚが好ましいが、これに限定されない。
【００３５】
なお、本液晶表示装置でテレビジョン放送に基づく画像を表示する場合には、図３に示すように、本液晶表示装置にチューナー９０が接続され、これによって本テレビジョン受像機６０１が構成される。このチューナー９０は、アンテナ（不図示）で受信した受信波から（複合カラー）映像信号Ｓｃｖを取り出し、これを本液晶表示装置に入力する。
【００３６】
〔実施の形態１〕
実施の形態１では、映像信号を８ビット２５６階調とし、図６・７に示すＬＵＴａ〜ＬＵＴｄを用いる。図８は図６・７をグラフ化したものである。実施の形態１では、１２５階調（中間調）が第１型の画素に入力された場合、第１フレーム階調＝２１９階調、第２フレーム階調＝１８４階調、第３フレーム階調＝０階調、および第４フレーム階調＝０階調がフレーム階調生成回路で生成され、１２５階調（中間調）が第２型の画素に入力された場合、第１フレーム階調＝０階調、第２フレーム階調＝０階調、第３フレーム階調＝２１９階調、第４フレーム階調＝１８４階調がフレーム階調生成回路で生成され、２００階調（中間調）が第１型の画素に入力された場合、第１フレーム階調＝２５５階調、第２フレーム階調＝２５５階調、第３フレーム階調＝９階調、第４フレーム階調＝９４階調がフレーム階調生成回路で生成され、２００階調（中間調）が第２型の画素に入力された場合、第１フレーム階調＝９階調、第２フレーム階調＝９４階調、第３フレーム階調＝２５５階調、第４フレーム階調＝２５５階調がフレーム階調生成回路で生成される。
【００３７】
図４は、実施の形態１にかかる液晶表示装置で１２５階調ベタ表示を一定期間継続して行う場合の駆動例と応答波形（時間経過に伴う透過率変化）を示している。図４に示されるように、Ａ・Ｄに含まれるＲ画素（第１型の画素）には、第１フレーム期間Ｆ１に、２１９階調に対応するプラスのデータ電位（＋Ｖ２１９）が供給され、第２フレーム期間Ｆ２に、１８４階調に対応するマイナスのデータ電位（−Ｖ１８４）が供給され、第３フレーム期間Ｆ３に、０階調に対応するプラスのデータ電位（＋Ｖ０）が供給され、第４フレーム期間Ｆ４に、０階調に対応するマイナスのデータ電位（−Ｖ０）が供給される。すなわち、Ａ・Ｄに含まれるＲ画素（第１型の画素）には、Ｆ１〜Ｆ２に２種のデータ電圧が供給されて大きさの異なる２つの実効電圧が印加されるとともに、Ｆ３〜Ｆ４に１種のデータ電圧が供給されて１つの実効電圧が印加され、データ電位の極性（プラス／マイナス）はフレームごとに反転する。一方、Ｂ・Ｃに含まれるＲ画素（第２型の画素）には、第１フレーム期間Ｆ１に、０階調に対応するマイナスのデータ電位（−Ｖ０）が供給され、第２フレーム期間Ｆ２に、０階調に対応するプラスのデータ電位（＋Ｖ０）が供給され、第３フレーム期間Ｆ３に、２１９階調に対応するマイナスのデータ電位（−Ｖ２１９）が供給され、第４フレーム期間Ｆ４に、１８４階調に対応するプラスのデータ電位（＋Ｖ１８４）が供給される。すなわち、Ｂ・Ｃに含まれるＲ画素（第２型の画素）には、Ｆ１〜Ｆ２に１種のデータ電圧が供給されて１つの実効電圧が印加されるとともに、Ｆ３〜Ｆ４に２種のデータ電圧が供給されて大きさの異なる２つの実効電圧が印加され、データ電位の極性（プラス／マイナス）はフレームごとに反転する。
【００３８】
図４の駆動によれば、Ａ・Ｄに含まれるＲ画素（第１型の画素）はＦ１にオーバードライブされ、Ｂ・Ｃに含まれるＲ画素（第２型の画素）はＦ３にオーバードライブされることとなり、図４に示されるように、Ｆ１〜Ｆ４（１周期）の第１および第２型の画素それぞれの応答波形を実質的に矩形波とし、かつ互いに線対称とすることができる。これにより、第１型の画素の応答波と第２型の画素の応答波との重畳波をフラットに近い波形とすることができ、フリッカーを十分に抑制することが可能となる。さらに、第１および第２型それぞれの画素をオーバードライブすることで、１周期の輝度変化が大きくなり、視野角特性を一層高めることができる。
【００３９】
図５は図４の駆動を行った場合のＡ〜Ｄ含む９個の表示単位に属する２７画素の表示状態を示す模式図である。図４・５に示されるように、第１および第２型の画素それぞれの応答波形を矩形波とした場合には、第１型の画素（Ａ・Ｄに含まれる画素）では、Ｆ１の平均輝度およびＦ２の平均輝度が、Ｆ１〜Ｆ４の平均輝度（１２５階調に対応する輝度）よりも高くなるとともに、Ｆ３の平均輝度およびＦ４の平均輝度が、Ｆ１〜Ｆ４の平均輝度（１２５階調に対応する輝度）よりも低くなる。一方、第２型の画素（Ｂ・Ｃに含まれる画素）では、Ｆ１の平均輝度およびＦ２の平均輝度が、Ｆ１〜Ｆ４の平均輝度（１２５階調に対応する輝度）よりも低くなるとともに、Ｆ３の平均輝度およびＦ４の平均輝度が、Ｆ１〜Ｆ４の平均輝度（１２５階調に対応する輝度）よりも高くなる。
【００４０】
〔実施の形態２〕
実施の形態２では、映像信号を８ビット２５６階調とし、図１２・１３に示すＬＵＴａ〜ＬＵＴｄを用いる。図１４は図１２・１３をグラフ化したものである。実施の形態２では、１２５階調（中間調）が第１型の画素に入力された場合、第１フレーム階調＝１８０階調、第２フレーム階調＝２０２階調、第３フレーム階調＝９４階調、および第４フレーム階調＝０階調がフレーム階調生成回路で生成され、１２５階調（中間調）が第２型の画素に入力された場合、第１フレーム階調＝９４階調、第２フレーム階調＝０階調、第３フレーム階調＝１８０階調、第４フレーム階調＝２０２階調がフレーム階調生成回路で生成される。また、２００階調（中間調）が第１型の画素に入力された場合、第１フレーム階調＝２１１階調、第２フレーム階調＝２５５階調、第３フレーム階調＝１７３階調、第４フレーム階調＝６５階調がフレーム階調生成回路で生成され、２００階調（中間調）が第２型の画素に入力された場合、第１フレーム階調＝１７３階調、第２フレーム階調＝６５階調、第３フレーム階調＝２１１階調、第４フレーム階調＝２５５階調がフレーム階調生成回路で生成される。また、７０階調（中間調）が第１型の画素に入力された場合、第１フレーム階調＝１２９階調、第２フレーム階調＝１２１階調、第３フレーム階調＝３３階調、第４フレーム階調＝０階調がフレーム階調生成回路で生成され、７０階調（中間調）が第２型の画素に入力された場合、第１フレーム階調＝３３階調、第２フレーム階調＝０階調、第３フレーム階調＝１２９階調、第４フレーム階調＝１２１階調がフレーム階調生成回路で生成される。
【００４１】
図９は、実施の形態２にかかる液晶表示装置で１２５階調ベタ表示を一定期間継続して行う場合の駆動例と応答波形（時間経過に伴う透過率変化）を示している。図９に示されるように、Ａ・Ｄに含まれるＲ画素（第１型の画素）には、第１フレーム期間Ｆ１に、１８０調に対応するプラスのデータ電位（＋Ｖ１８０）が供給され、第２フレーム期間Ｆ２に、２０２階調に対応するマイナスのデータ電位（−Ｖ２０２）が供給され、第３フレーム期間Ｆ３に、９４階調に対応するプラスのデータ電位（＋Ｖ９４）が供給され、第４フレーム期間Ｆ４に、０階調に対応するマイナスのデータ電位（−Ｖ０）が供給される。すなわち、Ａ・Ｄに含まれるＲ画素（第１型の画素）には、Ｆ１〜Ｆ２に２種のデータ電圧が供給されて大きさの異なる２つの実効電圧が印加されるとともに、Ｆ３〜Ｆ４にも２種のデータ電圧が供給されて大きさの異なる２つの実効電圧が印加され、より具体的には、第１〜第２フレーム期間に、相対的に低い階調に対応するデータ電圧が供給された後に相対的に高い階調に対応するデータ電圧が供給されるとともに、第３〜第４フレーム期間に、相対的に高い階調に対応するデータ電圧が供給された後に相対的に低い階調に対応するデータ電圧が供給され、データ電位の極性（プラス／マイナス）はフレームごとに反転する。一方、Ｂ・Ｃに含まれるＲ画素（第２型の画素）には、第１フレーム期間Ｆ１に、９４階調に対応するマイナスのデータ電位（−Ｖ９４）が供給され、第２フレーム期間Ｆ２に、０階調に対応するプラスのデータ電位（＋Ｖ０）が供給され、第３フレーム期間Ｆ３に、１８０階調に対応するマイナスのデータ電位（−Ｖ１８０）が供給され、第４フレーム期間Ｆ４に、２０２階調に対応するプラスのデータ電位（＋Ｖ２０２）が供給される。すなわち、Ｂ・Ｃに含まれるＲ画素（第２型の画素）には、Ｆ１〜Ｆ２に２種のデータ電圧が供給されて大きさの異なる２つの実効電圧が印加されるとともに、Ｆ３〜Ｆ４にも２種のデータ電圧が供給されて大きさの異なる２つの実効電圧が印加され、より具体的には、第１〜第２フレーム期間に、相対的に高い階調に対応するデータ電圧が供給された後に相対的に低い階調に対応するデータ電圧が供給されるとともに、第３〜第４フレーム期間に、相対的に低い階調に対応するデータ電圧が供給された後に相対的に高い階調に対応するデータ電圧が供給され、データ電位の極性（プラス／マイナス）はフレームごとに反転する。
【００４２】
図１０は、実施の形態２にかかる液晶表示装置で７０階調ベタ表示を一定期間継続して行う場合の駆動例と応答波形（時間経過に伴う透過率変化）を示している。図１０に示されるように、Ａ・Ｄに含まれるＲ画素（第１型の画素）には、第１フレーム期間Ｆ１に、１２９調に対応するプラスのデータ電位（＋Ｖ１２９）が供給され、第２フレーム期間Ｆ２に、１２１階調に対応するマイナスのデータ電位（−Ｖ１２１）が供給され、第３フレーム期間Ｆ３に、３３階調に対応するプラスのデータ電位（＋Ｖ３３）が供給され、第４フレーム期間Ｆ４に、０階調に対応するマイナスのデータ電位（−Ｖ０）が供給される。すなわち、Ａ・Ｄに含まれるＲ画素（第１型の画素）には、Ｆ１〜Ｆ２に２種のデータ電圧が供給されて大きさの異なる２つの実効電圧が印加されるとともに、Ｆ３〜Ｆ４にも２種のデータ電圧が供給されて大きさの異なる２つの実効電圧が印加され、より具体的には、第１〜第２フレーム期間に、相対的に高い階調に対応するデータ電圧が供給された後に相対的に低い階調に対応するデータ電圧が供給されるとともに、第３〜第４フレーム期間に、相対的に高い階調に対応するデータ電圧が供給された後に相対的に低い階調に対応するデータ電圧が供給され、データ電位の極性（プラス／マイナス）はフレームごとに反転する。一方、Ｂ・Ｃに含まれるＲ画素（第２型の画素）には、第１フレーム期間Ｆ１に、３３階調に対応するマイナスのデータ電位（−Ｖ３３）が供給され、第２フレーム期間Ｆ２に、０階調に対応するプラスのデータ電位（＋Ｖ０）が供給され、第３フレーム期間Ｆ３に、１２９階調に対応するマイナスのデータ電位（−Ｖ１２９）が供給され、第４フレーム期間Ｆ４に、１２１階調に対応するプラスのデータ電位（＋Ｖ１２１）が供給される。すなわち、Ｂ・Ｃに含まれるＲ画素（第２型の画素）には、Ｆ１〜Ｆ２に２種のデータ電圧が供給されて大きさの異なる２つの実効電圧が印加されるとともに、Ｆ３〜Ｆ４にも２種のデータ電圧が供給されて大きさの異なる２つの実効電圧が印加され、より具体的には、第１〜第２フレーム期間に、相対的に高い階調に対応するデータ電圧が供給された後に相対的に低い階調に対応するデータ電圧が供給されるとともに、第３〜第４フレーム期間に、相対的に高い階調に対応するデータ電圧が供給された後に相対的に低い階調に対応するデータ電圧が供給され、データ電位の極性（プラス／マイナス）はフレームごとに反転する。
【００４３】
図９・１０の駆動によれば、Ｆ１〜Ｆ２およびＦ３〜Ｆ４それぞれにおいて液晶の応答波形が線形化されることとなり、Ｆ１〜Ｆ４（１周期）の第１および第２型の画素それぞれの応答波形を実質的に三角波とし、かつ互いに線対称とすることができる。これにより、第１型の画素の応答波と第２型の画素の応答波との重畳波をフラットに近い波形とすることができ、フリッカーを十分に抑制することが可能となる。
【００４４】
図１１は図９・１０の駆動を行った場合のＡ〜Ｄ含む９個の表示単位に属する２７画素の表示状態を示す模式図である。図９〜１１に示されるように、第１および第２型の画素それぞれの応答波形を矩形波とした場合には、第１型の画素（Ａ・Ｄに含まれる画素）では、Ｆ１の平均輝度およびＦ４の平均輝度が、Ｆ１〜Ｆ４の平均輝度（１２５階調に対応する輝度）よりも低くなるとともに、Ｆ２の平均輝度およびＦ３の平均輝度が、Ｆ１〜Ｆ４の平均輝度（１２５階調に対応する輝度）よりも高くなる。一方、第２型の画素（Ｂ・Ｃに含まれる画素）では、Ｆ１の平均輝度およびＦ４の平均輝度が、Ｆ１〜Ｆ４の平均輝度（１２５階調に対応する輝度）よりも高くなるとともに、Ｆ２の平均輝度およびＦ３の平均輝度が、Ｆ１〜Ｆ４の平均輝度（１２５階調に対応する輝度）よりも低くなる。
【００４５】
〔実施の形態３〕
図１５は、１周期を８フレームとする実施の形態３にかかる液晶表示装置で１２５階調ベタ表示を一定期間継続して行う場合の駆動例と応答波形（時間経過に伴う透過率変化）を示している。図１５に示されるように、Ａ・ｃに含まれるＲ画素（第１型の画素）には、第１フレーム期間Ｆ１に、２１５階調に対応するプラスのデータ電位（＋Ｖ２１５）が供給され、第２フレーム期間Ｆ２に、２００階調に対応するマイナスのデータ電位（−Ｖ２００）が供給され、第３フレーム期間Ｆ３に、１８０階調に対応するプラスのデータ電位（＋Ｖ１８０）が供給され、第４フレーム期間Ｆ４に、１８０階調に対応するマイナスのデータ電位（−Ｖ１８０）が供給され、第５フレーム期間Ｆ５に、０階調に対応するプラスのデータ電位（＋Ｖ０）が供給され、第６フレーム期間Ｆ６に、０階調に対応するマイナスのデータ電位（−Ｖ０）が供給され、第７フレーム期間Ｆ７に、２０階調に対応するプラスのデータ電位（＋Ｖ２０）が供給され、第８フレーム期間Ｆ８に、２０階調に対応するマイナスのデータ電位（−Ｖ２０）が供給される。すなわち、Ａ・Ｄに含まれるＲ画素（第１型の画素）には、Ｆ１〜Ｆ４に３種のデータ電圧が供給されて大きさの異なる３つの実効電圧が印加されるとともに、Ｆ５〜Ｆ８に２種のデータ電圧が供給されて大きさの異なる２つの実効電圧が印加され、データ電位の極性（プラス／マイナス）はフレームごとに反転する。
【００４６】
一方、Ｃ・ａに含まれるＲ画素（第２型の画素）には、第１フレーム期間Ｆ１に、０階調に対応するマイナスのデータ電位（−Ｖ０）が供給され、第２フレーム期間Ｆ２に、０階調に対応するプラスのデータ電位（＋Ｖ０）が供給され、第３フレーム期間Ｆ３に、２０階調に対応するマイナスのデータ電位（−Ｖ２０）が供給され、第４フレーム期間Ｆ４に、２０階調に対応するプラスのデータ電位（＋Ｖ２０）が供給され、第５フレーム期間Ｆ５に、２１５階調に対応するマイナスのデータ電位（−Ｖ２１５）が供給され、第６フレーム期間Ｆ６に、２００階調に対応するプラスのデータ電位（＋Ｖ２００）が供給され、第７フレーム期間Ｆ７に、１８０階調に対応するマイナスのデータ電位（−Ｖ１８０）が供給され、第８フレーム期間Ｆ８に、１８０階調に対応するプラスのデータ電位（＋Ｖ１８０）が供給される。すなわち、Ｃ・ａに含まれるＲ画素（第２型の画素）には、Ｆ１〜Ｆ４に２種のデータ電圧が供給されて大きさの異なる２つの実効電圧が印加されるとともに、Ｆ５〜Ｆ８に３種のデータ電圧が供給されて大きさの異なる３つの実効電圧が印加され、データ電位の極性（プラス／マイナス）はフレームごとに反転する。
【００４７】
図１５の駆動によれば、Ａ・ｃに含まれるＲ画素（第１型の画素）はＦ１・Ｆ２・Ｆ５・Ｆ６にオーバードライブされ、Ｃ・ａに含まれるＲ画素（第２型の画素）もＦ１・Ｆ２・Ｆ５・Ｆ６にオーバードライブされることとなり、図１５に示されるように、Ｆ１〜Ｆ８（１周期）の第１および第２型の画素それぞれの応答波形を実質的に矩形波とし、かつ互いに線対称とすることができる。これにより、第１型の画素の応答波と第２型の画素の応答波との重畳波をフラットに近い波形とすることができ、フリッカーを十分に抑制することが可能となる。さらに、第１および第２型それぞれの画素をオーバードライブすることで、１周期の輝度変化が大きくなり、視野角特性を一層高めることができる。
【００４８】
なお、実施の形態３では、Ｄ・ｂに含まれるＲ画素およびＢ・ｄに含まれるＲ画素を図１６に示すように駆動することが好ましい。こうすれば、図１７に示すように、１周期の輝度の変化パターンを４種類とすることができ、フリッカーをさらに抑制することができる。
【００４９】
〔各実施の形態について〕
なお、上記各実施の形態では、行方向に隣接する２つの画素の一方に書き込まれるデータ電位の極性と他方に書き込まれるデータ電位の極性とが異なり、かつ列方向に隣接する２つの画素の一方に書き込まれるデータ電位の極性と他方に書き込まれるデータ電位の極性とが異なり、各画素に書き込まれるデータ電位の極性がドット反転状となっており、トランジスタＯＦＦ時の引き込み電圧に起因するちらつきを抑制することができる。
【００５０】
図１８は、本液晶表示装置における液晶パネルの構成およびその駆動例を示す模式図である。本液晶パネルでは、１つの画素列に対応して２本のデータ信号線Ｓ１・Ｓ２が設けられるともに、同一画素列内で隣り合う２つの画素の一方に含まれる画素電極と他方に含まれる画素電極とがトランジスタを介して異なるデータ信号線に接続されている。そして、走査信号線が２本ずつ選択され、１つの画素列に対応する２本のデータ信号線Ｓ１・Ｓ２には、逆極性のデータ電位が供給される。例えば、図１８（ａ）では、走査信号線Ｇ１・Ｇ２が選択され、トランジスタを介して走査信号線Ｇ１およびデータ信号線Ｓ１に接続される各画素電極ＰＥにはプラスのデータ電位（アナログの電位）が書き込まれ、トランジスタを介して走査信号線Ｇ２およびデータ信号線Ｓ２に接続される各画素電極ＰＥにはマイナスのデータ電位（アナログの電位）が書き込まれる。また、図１８（ａ）の１Ｈ（水平走査期間）後の図１８（ｂ）では、走査信号線Ｇ３・Ｇ４が選択され、トランジスタを介して走査信号線Ｇ３およびデータ信号線Ｓ１に接続される各画素電極ＰＥにはプラスのデータ電位（アナログの電位）が書き込まれ、トランジスタを介して走査信号線Ｇ４およびデータ信号線Ｓ２に接続される各画素電極ＰＥにはマイナスのデータ電位（アナログの電位）が書き込まれる。
【００５１】
上記各実施の形態では、各画素に書き込まれるデータ電位の極性がドット反転状となっているが、これに限定されない。例えば、行方向に隣接する２つの画素の一方に書き込まれるデータ電位の極性と他方に書き込まれるデータ電位の極性とが異なるが、列方向に隣接する２つの画素の一方に書き込まれるデータ電位の極性と他方に書き込まれるデータ電位の極性とが同一の、Ｖライン反転状でも構わない。
【００５２】
本液晶表示装置は、第１〜第ｍフレーム期間（ｍは４以上の整数）を１周期とし、２個の画素それぞれにおける１周期の平均輝度が中間調に対応する同一値となるような表示を行うときに、上記２つの画素の一方については輝度が上昇して目標値に到達し、かつ他方については輝度が低下して目標値に到達する期間を設けるとともに、この期間に、上記２つの画素の一方あるいは他方に１種以上の波形調整用電圧と目標値に対応する電圧とを印加するか、または上記２つの画素それぞれに１種以上の波形調整用電圧と目標値に対応する電圧とを印加する構成ともいえる。
【００５３】
例えば、図４では、第１フレームＦ１〜第４フレームＦ４を１周期とし、上記２つの画素の一方（実線）については輝度が上昇して目標値（Ｔ（１８４）に対応する値）に到達し、かつ他方（破線）については輝度が低下して目標値（Ｔ（０）に対応する値）に到達する期間（Ｆ１・Ｆ２）を設けるとともに、この期間に、上記２つの画素の一方（実線）に波形調整用電圧（＋Ｖ（２１９））と目標値に対応する電圧（−Ｖ（１８４））とを印加している。また、上記２つの画素の一方（破線）については輝度が上昇して目標値（Ｔ（１８４）に対応する値）に到達し、かつ他方（実線）については輝度が低下して目標値（Ｔ（０）に対応する値）に到達する期間（Ｆ３・Ｆ４）を設けるとともに、この期間に、上記２つの画素の一方（破線）に波形調整用電圧（−Ｖ（２１９））と目標値に対応する電圧（＋Ｖ（１８４））とを印加している。
【００５４】
また、図９では、第１フレームＦ１〜第４フレームＦ４を１周期とし、上記２つの画素の一方（実線）については輝度が上昇して目標値（Ｔ（２０２）に対応する値）に到達し、かつ他方（破線）については輝度が低下して目標値（Ｔ（０）に対応する値）に到達する期間（Ｆ１・Ｆ２）を設けるとともに、この期間に、上記２つの画素の一方（実線）に波形調整用電圧（＋Ｖ（１８０））と目標値に対応する電圧（−Ｖ（２０２））とを印加している。また、上記２つの画素の一方（破線）については輝度が上昇して目標値（Ｔ（２０２）に対応する値）に到達し、かつ他方（実線）については輝度が低下して目標値（Ｔ（０）に対応する値）に到達する期間（Ｆ３・Ｆ４）を設けるとともに、この期間に、上記２つの画素の一方（破線）に波形調整用電圧（−Ｖ（１８０））と目標値に対応する電圧（＋Ｖ（２０２））とを印加している。
【００５５】
また、図１６では、第１フレームＦ１〜第８フレームＦ８を１周期とし、上記２つの画素の一方（実線）については輝度が上昇して目標値（Ｔ（１８０）に対応する値）に到達し、かつ他方（破線）については輝度が低下して目標値（Ｔ（２０）に対応する値）に到達する期間（Ｆ３〜Ｆ６）を設けるとともに、この期間に、上記２つの画素の一方（実線）に波形調整用電圧（＋Ｖ（２１５），−Ｖ（２００））と目標値に対応する電圧（±Ｖ（１８０））とを印加し、他方（破線）に波形調整用電圧（±Ｖ（０））と目標値に対応する電圧（±Ｖ（２０））とを印加している。
【００５６】
本発明は上記の実施の形態に限定されるものではなく、上記実施の形態を技術常識に基づいて適宜変更したものやそれらを組み合わせて得られるものも本発明の実施の形態に含まれる。
【産業上の利用可能性】
【００５７】
本液晶表示装置は、例えば、液晶テレビに好適である。
【符号の説明】
【００５８】
Ｆ１〜Ｆ４  第１〜第４フレーム期間
Ｒ  赤の画素
Ｇ  緑の画素
Ｂ  青の画素
ＬＵＴａ〜ＬＵＴｄ  ルックアップテーブル
Ｇ１〜Ｇ４  走査信号線
Ｓ１・Ｓ２  データ信号線
ＰＥ  画素電極
【図１】
2011065091.tif 000003
【図２】
2011065091.tif 000004
【図３】
2011065091.tif 000005
【図４】
2011065091.tif 000006
【図５】
2011065091.tif 000007
【図６】
2011065091.tif 000008
【図７】
2011065091.tif 000009
【図８】
2011065091.tif 000010
【図９】
2011065091.tif 000011
【図１０】
2011065091.tif 000012
【図１１】
2011065091.tif 000013
【図１２】
2011065091.tif 000014
【図１３】
2011065091.tif 000015
【図１４】
2011065091.tif 000016
【図１５】
2011065091.tif 000017
【図１６】
2011065091.tif 000018
【図１７】
2011065091.tif 000019
【図１８】
2011065091.tif 000020
【図１９】
2011065091.tif 000021
【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
１つの階調の表示を、第１〜第ｍフレーム期間（ｍは４以上の整数）からなる１周期に画素の輝度を変化させて行う液晶表示装置であって、
中間調表示時に、第１〜第ｎフレーム期間（ｎは２以上ｍ以下の整数）と第（ｎ＋１）〜第ｍフレーム期間の少なくとも一方において２種以上のデータ電圧が供給されることで、第１〜第ｎフレーム期間中に液晶層がライズ応答するとともに、第（ｎ＋１）〜第ｍフレーム期間中に液晶層がディケイ応答する第１型の画素と、
中間調表示時に、第１〜第ｎフレーム期間と第（ｎ＋１）〜第ｍフレーム期間の少なくとも一方において２種以上のデータ電圧が供給されることで、第１〜第ｎフレーム期間中に液晶層がディケイ応答するとともに、第（ｎ＋１）〜第ｍフレーム期間中に液晶層がライズ応答する第２型の画素とを含み、
中間調表示時に第１および第２型の画素に供給されるデータ電圧は、第１型の画素における１周期の応答波と、第２型の画素における１周期の応答波とが実質的に線対称となるように設定されている液晶表示装置。
【請求項２】
中間調表示時に第１および第２型の画素に供給されるデータ電圧は、第１および第２型の画素それぞれにおける１周期の応答波が実質的に矩形波あるいは台形波になるように設定されている請求項１記載の液晶表示装置。
【請求項３】
中間調表示時に第１および第２型の画素に供給されるデータ電圧は、第１および第２型の画素それぞれにおける１周期の応答波が実質的に三角波あるいは正弦波になるように設定されている請求項１記載の液晶表示装置。
【請求項４】
第１型の画素に中間調を表示するときには、第１〜第ｎフレーム期間に、相対的に高い階調に対応するデータ電圧が供給された後に相対的に低い階調に対応するデータ電圧が供給される一方、第２型の画素に中間調を表示するときには、第（ｎ＋１）〜第ｍフレーム期間に、相対的に高い階調に対応するデータ電圧が供給された後に相対的に低い階調に対応するデータ電圧が供給される請求項２記載の液晶表示装置。
【請求項５】
第１型の画素に所定階調以上の中間調を表示するときには、第１〜第ｎフレーム期間に、相対的に低い階調に対応するデータ電圧が供給された後に相対的に高い階調に対応するデータ電圧が供給されるとともに、第（ｎ＋１）〜第ｍフレーム期間に、相対的に高い階調に対応するデータ電圧が供給された後に相対的に低い階調に対応するデータ電圧が供給される一方、第２型の画素に所定階調以上の中間調を表示するときには、相対的に高い階調に対応するデータ電圧が供給された後に相対的に低い階調に対応するデータ電圧が供給され、かつ第（ｎ＋１）〜第ｍフレーム期間に、相対的に低い階調に対応するデータ電圧が供給された後に相対的に高い階調に対応するデータ電圧が供給される請求項３記載の液晶表示装置。
【請求項６】
第１型の画素に所定階調未満の中間調を表示するときには、第１〜第ｎフレーム期間に、相対的に高い階調に対応するデータ電圧が供給された後に相対的に低い階調に対応するデータ電圧が供給されるとともに、第（ｎ＋１）〜第ｍフレーム期間に、相対的に高い階調に対応するデータ電圧が供給された後に相対的に低い階調に対応するデータ電圧が供給される一方、第２型の画素に所定階調未満の中間調を表示するときには、相対的に高い階調に対応するデータ電圧が供給された後に相対的に低い階調に対応するデータ電圧が供給され、かつ第（ｎ＋１）〜第ｍフレーム期間に、相対的に高い階調に対応するデータ電圧が供給された後に相対的に低い階調に対応するデータ電圧が供給される請求項３記載の液晶表示装置。
【請求項７】
ｍ＝４かつｎ＝４、またはｍ＝８かつｎ＝４である請求項１記載の液晶表示装置。
【請求項８】
それぞれが別色の複数の画素からなる表示単位が行および列方向に並べられ、
同一の表示単位に含まれる複数の画素は同一の型である請求項１〜７のいずれか１項に記載の液晶表示装置。
【請求項９】
走査方向に隣接する２つの表示単位の一方に含まれる各画素の型と、他方に含まれる各画素の型とが互いに異なる請求項８記載の液晶表示装置。
【請求項１０】
走査方向と直交する方向に隣接する２つの表示単位の一方に含まれる各画素の型と、他方に含まれる各画素の型とが互いに異なる請求項８記載の液晶表示装置。
【請求項１１】
上記表示単位が赤画素、緑画素および青画素からなる請求項８記載の液晶表示装置。
【請求項１２】
第１型の各画素からなる表示単位の数と、第２型の各画素からなる表示単位の数とが実質的に等しい請求項８記載の液晶表示装置。
【請求項１３】
フレーム周波数が７５Ｈｚ以上である請求項１〜１２のいずれか１項に記載の液晶表示装置。
【請求項１４】
各画素に供給されるデータ電位の極性はフレームごとに反転する請求項１〜１３のいずれか１項に記載の液晶表示装置。
【請求項１５】
走査方向に隣接する２つの画素の一方に書き込まれるデータ電位の極性と、他方に書き込まれるデータ電位の極性とが異なる請求項１〜１４のいずれか１項に記載の液晶表示装置。
【請求項１６】
走査方向に直交する方向に隣接する２つの画素の一方に書き込まれるデータ電位の極性と、他方に書き込まれるデータ電位の極性とが異なる請求項１〜１５のいずれか１項に記載の液晶表示装置。
【請求項１７】
走査方向を列方向とすれば、１つの画素列に対応して２本のデータ信号線が設けられるともに、列方向に隣接する２つの画素はトランジスタを介して異なるデータ信号線に接続され、走査信号線が２本ずつ選択されていく請求項１〜１６のいずれか１項に記載の液晶表示装置。
【請求項１８】
１つの画素列に対応して設けられる２本のデータ信号線に、逆極性のデータ電位を供給する請求項１７記載の液晶表示装置。
【請求項１９】
請求項１〜１８のいずれか１項に記載の液晶表示装置と、テレビジョン放送を受信するチューナー部とを備えるテレビジョン受像機。
【手続補正２】
【補正対象書類名】明細書
【補正対象項目名】００３０
【補正方法】変更
【補正の内容】
【００３０】
〔実施の形態１〕
本発明の実施の形態を、図１〜１８を用いて説明すれば、以下のとおりである。図１は本液晶表示装置の構成を示すブロック図である。同図に示すように、本液晶表示装置は、１つの階調の表示を、第１〜第ｍフレーム期間（ｍは４以上の整数）からなる１周期に画素の輝度を変化させて行う液晶表示装置であり、液晶パネル、パネル駆動回路、および表示制御回路を備える。液晶パネルは、複数の走査信号線と、複数のデータ信号線と、行方向（走査方向に直交する方向）および列方向（走査方向）に並べられた複数の表示単位とを含む。各表示単位は、図２に示すように、行方向に並ぶＲ画素、Ｇ画素およびＢ画素からなり、以下では、ｉ行ｊ番目の表示単位を表示単位Ａ、ｉ行（ｊ＋１）番目の表示単位を表示単位Ｂ、（ｉ＋１）行ｊ番目の表示単位を表示単位Ｃ、（ｉ＋１）行（ｊ＋１）番目の表示単位を表示単位Ｄ、ｉ行（ｊ＋２）番目の表示単位を表示単位ａ、ｉ行（ｊ＋３）番目の表示単位を表示単位ｂ、（ｉ＋１）行（ｊ＋２）番目の表示単位を表示単位ｃ、（ｉ＋１）行（ｊ＋３）番目の表示単位を表示単位ｄとする。パネル駆動回路は、データ信号線を駆動するソースドライバと、走査信号線を駆動するゲートドライバとを含む。表示制御回路は、タイミング信号生成回路と、フレーム階調生成回路と、ＬＵＴ（ルックアップテーブル）ａ〜ＬＵＴｄとを含む。
【国際調査報告】
2011065091.tif 000022
2011065091.tif 000023
2011065091.tif 000024
2011065091.tif 000025